(57)【要約】  【課題】足の爪角の垢や汚れを取り出す際に、爪内部の皮膚を傷つけることや、垢の取り残しを解消した、足の爪角の垢を安全に取り出す器具で、左右の爪角に対応した爪の左角用と右角用の二種類の形状の器具の提供、器具先端部分を収納した未使用時の安全性の提供を課題とする。  【解決手段】第一発明は、器具の挿入部分の先端の形状を、左右の爪角の奥まで入り、垢を取り出すやすくするために、細く、厚みを薄くして、緩やかな角度をつけ、先端の角は丸みを施す。爪の左角と右角の奥に入るようにするため、器具先端の両角の位置に高低をつけることで傾斜をつけたものを、爪の左角用と右角用の二種類用意することを特徴とする足の爪角の垢を取る器具である。  また、第二発明は、左右の爪角の形に対応した二種類の先端を二色ボールペンの作用を用いて出し入れできることで、安全性と機能性を備えることを特徴とする器具である。【選択図】図１
2015066112.tif 000002
【特許請求の範囲】
【請求項１】
足の爪角の爪と皮膚との間の垢を取る足爪の垢取り器具であって、足爪の左角部における爪と皮膚との間に挿入できる形態の左爪内部挿入部分を有する左角用器具と、足爪の右角部における爪と皮膚との間に挿入できる形態の右爪内部挿入部分を有する右角用器具を備えることを特徴とする足爪の垢取り器具。
【請求項２】
ボールペンの作用を用いて出し入れできることを特徴とする請求項１に記載する足爪の垢取り器具。
【請求項３】
先端が丸い形状であって、爪角以外の爪と皮膚の間の詰め垢取り器具を備えることを特徴とする請求項２または請求項３に記載の足爪の垢取り器具。
【請求項４】
ヤスリの機能を備えることを特徴とする請求項２または請求項３に記載の  足爪の垢取り器具。
【請求項５】
爪の甘皮取りの機能を備えることを特徴とする請求項２〜請求項４に記載する足爪の垢取り器具。
【発明の詳細な説明】
【技術分野】
【０００１】
この発明は、足の爪角の垢を取る器具の形状に関する。
【背景技術】
【０００２】
足の親指爪の両角内部に溜まる垢や入り込んだ靴下等の繊維を取り出すのに、爪切りの刃の角、爪楊枝、スプーン型の爪垢取りを使う手段があるが、刃の角や爪楊枝の先は形が鋭く、爪楊枝は材質的に折れやすく、爪の下の皮膚を傷つけることが懸念される。また、爪切りの角とスプーン型の爪垢取りは構造上、爪角内部の奥までは入らないので垢の取り残しがあり、菌の繁殖や臭いの原因となる。
【０００３】
一方、足の爪角の垢を取る器具は、取り出す挿入部分は先端が細く、角は丸く、厚みも薄いので、爪角の内部に入りやすく、皮膚を傷つけないように、足の爪角内部の垢を取り出すことができる。また、左右の爪角奥にまで入るように器具の先端の形を、爪の左角に対応させたものと右角に対応させたものとして、二種類用意することで、爪角内部の奥まで行き届き、細かなケアができる。
【先行技術文献】
【特許文献】
【０００４】
【特許文献１】登録実用新案公報  実登３０４７９０１号
【発明の概要】
【発明が解決しようとする課題】
【０００５】
しかしながら、以上の技術（特許文献１）は、手の爪の垢や、爪表面の汚れを対象としており、足の爪角の垢を取るには材質が竹のため、折れることや、ささくれ等の材質の変形が懸念される。足爪内の垢はかなり奥まで溜まっているケースが多く、形状的にも足の爪角内部の奥まで入れるのには限界がある。
【０００６】
歯科用エキスカベータの名前を変えて、足の爪溝の垢や汚れを取るものに代用したものがあるが、本来の用途は歯科用となっており、先端部の形状は一角が角張っているので、爪内部挿入時に角が皮膚に当たることと、爪溝は爪の両脇にある溝のことであるため、足の爪角内部あるいは奥まで入れることに重点が置かれていない。また、比較的長い棒状器具の両端は鋭利な形となっており、爪垢を取るときは、顔を近づけてよく見ることも考えられるため、安全面を重視すると、垢や汚れを取る器具先端部分は片方のみにあり、且つ先端部が収納できるものがよい。
【０００７】
スプーン型の足の爪垢取りがあるが、丸い形状なので、爪角内部の奥までは挿入が難しく、取り残しが生じる。
【０００８】
そこで、この発明は、足爪の垢を安全に取り出すこと、左右の爪角内部の奥にも対応した爪の左角用と右角用の二種類の器具を備えた爪の垢取り器具の提供及び器具先端を収納することによる未使用時の安全性の提供を課題とする。
【課題を解決するための手段】
【０００９】
以上の課題を解決するために、第一発明は、爪内部の挿入部分である器具の先端の形状を、左右の爪角内部に入るように細く、厚みを薄くして、緩やかな角度をつけ、角は丸みを施し、垢を取り出しやすくすることを特徴とする。また、爪の左角と右角の内部奥に入るようにするため、左角に関しては器具先端を上に向けたときに、右角が左角よりも高くなるように、右角に関しては器具先端を上に向けたときに、左角が右角よりも高くなるように、器具先端の両角の位置に高低をつけることで傾斜をつけた、爪の左角用と右角用の二種類の器具を備えることを特徴とする足の爪角の垢を取る器具である。
【００１０】
また、第二発明は、爪の左角と右角の形に対応した二種類の器具を二色ボールペンの作用を用いて出し入れできることを特徴とする器具である。
【発明の効果】
【００１１】
第一発明によれば、爪角挿入部分の先端の形状を細く、厚みを薄くして、緩やかな角度をつけ、角に丸みを施すことで、左右それぞれの爪角内部に挿入しやすくなる。また、先端の形状を、左角に関しては器具先端を上に向けたときに、右角が左角よりも高くなるように、右角に関しては器具先端を上に向けたときに、左角が右角よりも高くなるように、両角の位置に高低をつけることによって傾斜をつけた器具を、爪の左角用と右角用に、二種類用意することで、左右の爪角の奥まで入るので、垢を取り出すやすく、爪の細かなケアができる。
【００１２】
また、第二発明によれば、左右の爪角の形に対応した二種類の器具を、二色ボールペンの作用を用いて出し入れできるようにしたので、二つの器具を一つにまとめるることができ、器具が分散しない利点と、器具先端部を本体内部に収納することで持ち運び等の未使用時においても安全である利点が生じる。
【図面の簡単な説明】
【００１３】
【図１】（a）は、この発明の第一実施形態を示す斜視図である。（b）は、足の爪垢の詳細図である。
【図２】（a）は、この発明の第一実施形態を示す器具先端部分の側面図であり、器具先端の角度のつけ方は、爪の左角用と右角用の二つの器具において共通である。（b）は、この発明の第一実施形態を示す器具先端部の側面の拡大図である。
【図３】（a）は、この発明の第一実施形態を示す左の爪角用垢取り器具の正面図である。（b）は、この発明の第一実施形態を示す左の爪角用の垢取り器具先端部分の正面の拡大図である。
【図４】（a）は、この発明の第一実施形態を示す右の爪角用垢取り器具の先端部分の正面図である。（b）は、この発明の第一実施形態を示す右の爪角用垢取り器具の先端部分の正面の拡大図である。
【図５】この発明の第二実施形態を示す正面図である。
【発明を実施するための形態】
【００１４】
「第一実施形態」
この発明の第一実施形態を、図１に示す。
第一実施形態として、図１に示す足の爪角の垢取り器具を収納する本体外側２はプラスチックで、図３の３と図４の５に示す本体内部に収納される二種類の垢取り器具はステンレス製とする。図１（b）に示す足爪垢９を取り出す図１（a）に示す器具先端の爪内部挿入部分４は細く、厚みを薄くして、図２（b）に示す緩やかな角度を図３、図４に示す器具先端につけ、垢を取り出しやすくする。左右それぞれの爪角の奥に挿入しやすくすため、左角に関しては器具先端を上に向けたときに、右角が左角よりも高くなるように、右角に関しては器具先端を上に向けたときに、左角が右角よりも高くなるように、器具先端の両角の位置に高低をつけることで傾斜をつけたものを図３（a）に示す爪の左角用垢取り器具３と図４（a）に示す爪の右角用垢取り器具５とする。
【００１５】
「第一実施形態の効果」
【００１６】
この実施形態によれば、取り出す器具の挿入部分の先端の形状を細く、厚みを薄くして、緩やかな角度をつけ、角は丸みを施すことによって、爪内部の垢が取り出しやすくなる。また、左角に関しては器具先端を上に向けたときに、右角が左角よりも高くなるように、右角に関しては器具先端を上に向けたときに、左角が右角よりも高くなるように、器具先端の両角の位置に高低をつけることで傾斜をつけた、爪の左角用と右角用の垢取り器具を二種類用意するので、爪角の奥まで挿入しやすく、垢を取り出しやすく、安全に爪の細かなケアができる。
【００１７】
また、左右の爪角の形に対応した二種類の器具先端を、二色ボールペンの作用を用いて出し入れできるようにしたので、二つの器具を一本にまとめることができ、各器具が分散しない利点と、器具の先端部を本体内部に収納することで持ち運び等の未使用時においても安全である利点が生じる。
「第二実施形態」
【００１８】
第二実施形態として、第一実施形態に、爪角以外の爪の内側の垢や汚れ取りに対応する図５に示す別の形状の器具７（爪角用の器具先端よりも幅があり、形状は平らで丸く、両角の高さは同じ位置で、垢を取り出しやすい角度のついたもの）を加え、図５に示す三色ボールペン型８とする。第二実施形態についても、第一実施形態と同様の効果を奏する。また、爪角以外に対応する器具の追加により、爪の各部に応じた垢取りのケアができる。
「第三実施形態」
【００１９】
第三実施形態として、第一実施形態または第二実施形態に、ヤスリの機能をもつ器具を追加し、三色ボールペン型または四色ボールペン型とする。第三実施形態についても、第一実施形態と同様の効果を奏する。また、ヤスリの機能の追加により、爪を削る効果が加わった多機能な器具となり、爪のより細かなケアができる。
「第四実施形態」
【００２０】
第四実施形態として、第一実施形態、第二実施形態、第三実施形態のいずれかの形態に、爪の甘皮取りの機能を持つ器具を追加し、三〜五色ボールペン型とする。第四実施形態についても、第一実施形態と同様の効果を奏する。また、爪の甘皮取りの機能の追加により、甘皮を取る効果が加わった多機能な器具となり、爪のより細かなケアができる。
「他の実施形態」
【００２１】
第一実施形態では、器具を収納する本体外側の材質はプラスチックであるが、他の実施形態として、本体外側の持ち手部分を滑りにくく、持ちやすくするため、持ち手の材質にゴム、シリコンのいずれかを用いる。
【符号の説明】
【００２２】
１…足の爪角の垢取り器具、２…垢取り器具本体外側、３…左角用器具、４…左角用爪内部挿入部分、５…爪の左角用垢取り器具、６…爪の右角用垢取り器具、７…別の形状の器具、８…三色ボールペン型、９…爪垢。
【図１】
2015066112.tif 000003
【図２】
2015066112.tif 000004
【図３】
2015066112.tif 000005
【図４】
2015066112.tif 000006
【図５】
2015066112.tif 000007